(57)【要約】【課題】リムーバブルハードディスクカートリッジにおいて、落下防止対策を施すとともに塵埃侵入対策を施す。【解決手段】このリムーバブルハードディスクカートリッジは、本体ケース１の内部に、ディスクドライブ本体２と、ストラップユニット３とを備える。ストラップユニット３は、本体ケース１に設けたストラップ通孔１２から本体ケース１外へ繰り出し可能なストラップ６と、ストラップ６を本体ケース１内に巻き取りを可能にする巻取機構７と、ストラップ６の繰り出し側の先端に設けられた係止具９とを備える。本体ケース１の外周壁には、ストラップ６を本体ケース１内に巻き取ったときに係止具９が係合捕捉される収容凹部１１が凹み形成され、該収容凹部１１の内壁１１ａにストラップ通孔１２が設けられる。係止具９が収容凹部１１に係合捕捉されたとき、係止具９によってストラップ通孔１２が塞がれる。【選択図】図１
2009026406.tif 000002
【特許請求の範囲】
【請求項１】
本体ケースの内部に、ディスクドライブ本体と、ストラップユニットとを備え、
前記ストラップユニットは、前記本体ケースに設けたストラップ通孔から前記本体ケース外へ繰り出されるストラップと、該ストラップを巻き取る巻取機構と、前記ストラップの繰り出し側の先端に設けられた係止具とを備えており、
前記本体ケースの外周壁には、前記ストラップを前記本体ケース内に巻き取ったときに前記係止具が係合捕捉される収容凹部が凹み形成されており、該収容凹部の内壁に前記ストラップ通孔が設けられており、
前記係止具が前記収容凹部に係合捕捉されたとき、前記係止具によって前記ストラップ通孔が封止されるように構成されていることを特徴とするリムーバブルハードディスクカートリッジ。
【請求項２】
本体ケースの内部に、前記ディスクドライブ本体の組み付け部分と、前記ストラップユニットの組み付け部分とを仕切る隔壁が設けられている請求項１記載のリムーバブルハードディスクカートリッジ。
【請求項３】
前記収容凹部は、前記ストラップの繰り出し方向と下方向とに開口しており、
前記収容凹部の内壁に、前記係止具の下面を受け止める上向きの受面を有する係合壁が設けられている請求項１又は２記載のリムーバブルハードディスクカートリッジ。
【請求項４】
前記ストラップが、８０Ｎ以上１２０Ｎ以下の張力で破断する耐張力を有するものである請求項１ないし３のいずれかに記載のリムーバブルハードディスクカートリッジ。
【発明の詳細な説明】
【技術分野】
【０００１】
本発明は、ＡＶ機器やコンピュータなどの機器に着脱自在に装着される小型軽量で大容量のリムーバブルハードディスクカートリッジに関する。
【背景技術】
【０００２】
上述のようなリムーバブルハードディスクカートリッジ（以下、ＨＤＤカートリッジと記す）には、精密部品である磁気ヘッドやその駆動機構などを含むディスクドライブ本体が組み込まれているため、テープやディスクなどの記録媒体を有するテープカートリッジやディスクカートリッジに比べて壊れやすく、落下衝撃などの大きな外部衝撃を受けると比較的簡単に動作不良に陥りやすい。このため、より高度な落下防止対策を施す必要がある。
【０００３】
特に、ＨＤＤカートリッジを携帯型の記憶媒体として用いる場合には、携帯時における落下防止対策が重要となる。この種の携帯装置における落下防止対策としては、例えば特許文献１を挙げることができ、そこでは、携帯用録音機に落下防止用のストラップを取り付けて、ストラップを服飾のボタン穴やベルトなどに係止することで、携帯用録音機の落下を防ぐことができるようになっている。
【０００４】
【特許文献１】実開平３−５２８３３号公報（第１図）
【発明の開示】
【発明が解決しようとする課題】
【０００５】
ところが、特許文献１のストラップをＨＤＤカートリッジに適用した場合には、該ＨＤＤカートリッジを、データの読み書きを行うドライブ装置に装着する際にストラップが邪魔になる。また、ＨＤＤカートリッジは、埃などが磁気ヘッドやハードディスクなどに付着すると適正なデータの読み書きができなくなるため、ストラップを設けたことに伴い、何らかの塵埃対策を施す必要もある。
【０００６】
本発明は、以上のような問題点を解決するためになされたものであり、落下防止用のストラップが邪魔にならず、また簡単な構成で以て埃などの侵入を確実に防ぐことができるリムーバブルハードディスクカートリッジを提供することにある。
【課題を解決するための手段】
【０００７】
本発明に係るリムーバブルハードディスクカートリッジは、図１および図２に示すように、本体ケース１の内部に、ディスクドライブ本体２と、ストラップユニット３とを備える。ストラップユニット３は、本体ケース１に設けたストラップ通孔１２から本体ケース１外へ繰り出し可能なストラップ６と、該ストラップ６を本体ケース１内に巻き取る巻取機構７と、ストラップ６の繰り出し側の先端に設けられた係止具９とを備える。本体ケース１の外周壁には、ストラップ６を本体ケース１内に巻き取ったときに係止具９が係合捕捉される収容凹部１１が凹み形成されており、この収容凹部１１の内壁１１ａにはストラップ通孔１２が設けられている。そして、係止具９が収容凹部１１に係合捕捉されたとき、この係止具９によってストラップ通孔１２が封止されるように構成されていることを特徴とする。
【０００８】
具体的には、本体ケース１の内部に、ディスクドライブ本体２の組み付け部分と、ストラップユニット３の組み付け部分とを仕切る隔壁を設けることができる。
【０００９】
また、収容凹部１１は、図３に示すように、ストラップ６の繰り出し方向と下方向とに開口しており、収容凹部１１の内壁１１ａに、図４および図５に示すように、フック９の下面９ｃを受け止める上向きの受面１６ａを有する係合壁１６を設けた形態を採ることができる。
【００１０】
ストラップ６は、８０Ｎ以上１２０Ｎ以下の張力で破断する耐張力を有するものとすることができる。
【発明の効果】
【００１１】
本発明においては、本体ケース１内にストラップユニット３を組み込んだので、該ストラップユニット３のストラップ６の繰り出し端に設けられた係止具９を収容凹部１１から引き出して衣服、ベルト、鞄などに係止することで、リムーバブルハードディスクカートリッジを落下不能に確保することができる。したがってこの発明によれば、手指からリムーバブルハードディスクカートリッジを滑り落とした場合でも、該ディスクカートリッジが床面等に衝突して、ディスクドライブ本体が破損することを確実に防止することができ、ディスクドライブ本体２の読み出し不良や書き込み不良などの動作不良の発生を抑えて、リムーバブルハードディスクの信頼性の向上に貢献することができる。
また、巻取機構でストラップ６を巻き取り可能な構成としたので、ストラップ６を本体ケース１内に巻き取って収納しておくことにより、不使用時にストラップ６や係止具９が邪魔になることがない。必要な分だけストラップ６を引き出すことができ、ストラップ６を本体ケース１の外面に巻き付ける必要がなく、リムーバブルハードディスクのコンパクト化を図り、携帯性に優れる点でも優れている。
【００１２】
そのうえで、フック９が収容凹部１１に係合捕捉されたときに、係止具９によってストラップ通孔１２が封止されるので、ストラップ通孔１２から本体ケース１内に塵埃が侵入することを効果的に防ぐことができる。ストラップ通孔１２を設けたことに伴う塵埃侵入対策を簡単な構成で以て、低コストに実現できる点でも優れている。
【００１３】
また、本体ケース１の内部に、前記ディスクドライブ本体２の組み付け部分と、前記ストラップユニット３の組み付け部分とを仕切る隔壁１７を設けると、ストラップ通孔１２から塵埃が侵入した場合でも、該隔壁１７でディスクドライブ本体２側に塵埃が移行することを確実に防ぐことができる。
【００１４】
収容凹部１１を、ストラップ６の繰り出し方向と下方向とに開口してあると、使用者が下向きの開口１６に指などを差し入れて、収容凹部１１内のフック９を本体ケース１外へ容易に引き出すことができる。したがって、係止具およびの引出操作性が向上して、リムーバブルハードディスクの使い勝手が向上する。係合壁１４の上向きの受面１４ａで係止具９の下面９ｃを受け止めると、係止具９の脱落を確実に防いで、収容凹部１１内に係止具９を位置決め保持することができる。
【００１５】
ストラップ６の耐張力が８０Ｎ以上１２０Ｎ以下の張力で破断するように構成することが好ましい。１２０Ｎ以下としたのは、ストラップ６や係止具９が不用意に引っ掛かった際に、本体ケース１に過度の衝撃が加わることを防ぐためである。例えば、エレベーターや乗り物のドアに不用意に引っ掛かった場合にも、ストラップ６が確実に破断して使用者の安全が確保される。８０Ｎ以上としたのは、リムーバブルハードディスクカートリッジを落とした際の落下衝撃に耐え得るだけでの耐張力を、ストラップ６に付与するためである。
【発明を実施するための最良の形態】
【００１６】
図１ないし図５に、本発明に係るリムーバブルハードディスクカートリッジを示す。このリムーバブルハードディスクカートリッジは、図１および図２に示すように、扁平角箱状の本体ケース１の内部に、扁平角型のディスクドライブ本体２と、ストラップユニット３とを備える。
【００１７】
ディスクドライブ本体２は、ハードディスク４へのデータの読み書き用の磁気ヘッドや該磁気ヘッドの駆動機構や制御回路やコネクタ５などを備え、リムーバブルハードディスクカートリッジを不図示のドライブ装置に装着したときには、本体ケース１の前面に配したコネクタ５がドライブ装置に接続され、このコネクタ５を介してハードディスク４にデータが書き込み可能になり、またハードディスク４に書き込まれたデータが読み出し可能になる。
【００１８】
ストラップユニット３は、本体ケース１に設けたストラップ通孔１２から本体ケース１外へ繰り出し可能なストラップ６と、ストラップ６を本体ケース１内に巻き取りを可能にする巻取機構７と、ストラップ６の繰り出し側の先端に設けられたフック（係止具）９とを備える。ストラップ６は８０Ｎ以上１２０Ｎ以下の張力で破断する耐張力を有する。これによってストラップ６が他物に引っ掛かった際にストラップ６が破断して、本体ケース１に過度の衝撃が加わることを防止する。
【００１９】
巻取機構７は、公知の機構を用いて構成し、例えば、ストラップ６を巻き取るリール１０と、リール１０をストラップ６の巻き取り方向に付勢する捻りコイルバネ（不図示）と、ストラップ６の繰り出し方向へのリール１０の回転は許容し、しかしストラップ６の巻き取り方向へのリール１０の回転は許容しないワンウェイクラッチ（不図示）とを備える。ワンウェイクラッチは、ストラップ６が終端部分まで本体ケース１から繰り出されると、ストラップ６の巻き戻し方向へのリール１０の回転を許容し、これによって捻りコイルバネの付勢力でストラップ６がリール１０に巻き取られる。
【００２０】
フック９は、図１および図３に示すように、ストラップ６の繰り出し方向の先端に基部が固定され、先端側がＪ字状に湾曲するフック本体９ａと該フック本体９ａの基部から延出されて先端がフック９の先端に係止される係止片９ｂを備える。係止片９ｂは、フック本体９ａの先端に係止される常態姿勢と、内方に傾いてフック本体９ａの先端から離れる傾斜姿勢との間で姿勢変位可能に構成されており、自身の原形回復力により常態姿勢に付勢されている。係止片９ｂを傾斜姿勢に変位させることで、係止片９ｂがフック９の先端から離れ、フック９を衣服、ベルト、鞄などの任意の箇所に引っ掛けることができ、その状態から係止片９ｂを常態姿勢に戻すことで、衣服等からフック９が不用意に抜け外れることがない。
【００２１】
本体ケース１は、図４および図５に示すように、上ケース１ａと下ケース１ｂとからなり、本体ケース１の外周壁には、図３および図４に示すように、ストラップ６を本体ケース１内に巻き取ったときにフック９を係合捕捉する収容凹部１１が凹み形成される。収容凹部１１は、ストラップ６の繰り出し方向と下向きとに開口し、ストラップ６およびフック９は、ストラップ６の繰り出し方向の開口１５から繰り出される。収容凹部１１の奥側の内壁１１ａには、図４および図５に示すように、フック９の下面９ｃを受け止める上向きの受面１６ａを有する係合壁１６を備える。
【００２２】
フック９は、図１に示すように、ストラップ６の繰り出し方向に広がるテーパー状に形成され、これに合わせて収容凹部１１が、ストラップ６の繰り出し方向に広がるテーパー状に形成される。これによってフック９が、収容凹部１１内に遊動不能な状態で収容凹部１１内に保持される。収容凹部１１の内壁１１ａには、上下縦長のストラップ通孔１２が設けられる。そして、フック９が収容凹部１１に係合捕捉されたときに、フック９によってストラップ通孔１２が封止され、ストラップ通孔１２から本体ケース１内に埃などが侵入することが低減される。ディスクドライブ本体２とストラップユニット３とは、図４に示すように、本体ケース１の上ケース１ａの内面から下向きに延出された隔壁１７によって仕切られており、ストラップ通孔１２からディスクドライブ本体２側に塵埃が侵入することをより確実に防いでいる。
【００２３】
リール１０に巻き取られたストラップ６は、図４および図５に示すように、案内ピン１３およびストラップ通孔１２を介して本体ケース１外へ繰り出される。本体ケース１の収容凹部１１の下向きの開口１９に指を差し入れて、収容凹部１１に収容されたフック９を本体ケース１外へ引き出し可能になっている。
【００２４】
このように、フック９を収容凹部１１から本体ケース１外へ引き出してストラップ６を本体ケース１から繰り出し、フック９を衣服やベルトや鞄の取っ手などに係止することで、本体ケース１が服飾に固定される。これによってリムーバブルハードディスクカートリッジが落下することを防止できる。また、フック９によってストラップ通孔１２が塞がれるので、本体ケース１内に埃などが侵入することが低減される。さらに、ストラップ６を本体ケース１内に巻き取ったときにフック９が収容凹部１１内に収容されることで、リムーバブルハードディスクカートリッジをドライブ装置に装着するときに、ストラップ６およびフック９が邪魔になることがない。
【図面の簡単な説明】
【００２５】
【図１】本発明に係る携帯記憶媒体の平面図である。
【図２】携帯記憶媒体の斜視図である。
【図３】フックが本体ケースの収容凹部に収容された状態を示す斜視図である。
【図４】図１のＡ−Ａ線断面図である。
【図５】図４のＢ−Ｂ線断面図である。
【符号の説明】
【００２６】
１  本体ケース
２  ディスクドライブ本体
３  ストラップユニット
４  ハードディスク
６  ストラップ
７  巻取機構
９  係止具（フック）
９ｃ  下面
１１  収容凹部
１１ａ  内壁
１２  ストラップ通孔
１６  係合壁
１６ａ  受面
１７  隔壁
【図１】
2009026406.tif 000003
【図２】
2009026406.tif 000004
【図３】
2009026406.tif 000005
【図４】
2009026406.tif 000006
【図５】
2009026406.tif 000007